(57)【特許請求の範囲】
【請求項１】
（ａ）デフォルト値によって音声呼として呼を開始し、
（ｂ）ファクシミリおよびデータ呼に特有のトーンを検出し、
（ｃ）前記検出ステップにおいてファクシミリおよびデータ呼の１つに特有のトーンが検出された場合、
ファクシミリ特定のプレアンブルである０×７ｅデータパターンが検出された場合には、前記ファクシミリ呼に対して前記呼を再折衝し、
ファクシミリ特定のプレアンブルである０×７ｅデータパターンが検出されなかった場合には、前記データ呼に対して前記呼を再折衝し、
（ｄ）前記検出ステップにおいて前記ファクシミリおよびデータ呼の１つに特有のトーンが検出されなかった場合、
ファクシミリ特定のプレアンブルである０×７ｅデータパターンが検出された場合には、前記ファクシミリ呼に対して前記呼を再折衝し、
ファクシミリ特定のプレアンブルである０×７ｅデータパターンが検出されなかった場合には、前記音声呼として前記呼を維持するステップを含んでおり、
呼を開始する前記ステップは、ボコーダを作動させることにより音声動作をセットアップするステップを含んでおり、
トーンを検出する前記ステップは、トーン検出器をオンに切換え、ボコーダでトーン検出器を動作させるステップを含んでいる無線通信システムにおける呼サービスオプションの透過的決定方法。
【請求項２】
前記検出ステップは、呼発信側および呼終端側の一方においてファクシミリトーンの検出を行うステップをさらに含んでいる請求項１記載の方法。
【請求項３】
前記検出ステップは、呼終端側においてファクシミリトーンおよびデータトーンの検出を行うステップをさらに含んでいる請求項１記載の方法。
【請求項４】
前記検出ステップは、呼発信側および呼終端側の両方においてファクシミリトーンの検出を行うステップをさらに含んでいる請求項１記載の方法。
【請求項５】
前記検出ステップは、呼が単一加入者ステーション（ＳＳＳ）から発信された場合、基地局において移動装置から陸線への呼の検出を行うステップをさらに含んでいる請求項１記載の方法。
【請求項６】
前記検出ステップは、終端側の単一加入者ステーション（ＳＳＳ）において移動装置から移動装置へおよび陸線から移動装置への呼の検出を行うステップをさらに含んでいる請求項１記載の方法。
【請求項７】
前記検出ステップは、前記ファクシミリ呼に対するＶ．２１信号により後続された２１００ヘルツのトーンの組合せを検出するステップをさらに含んでおり、前記Ｖ．２１信号は３００ビット／秒のデータパターン０×７ｅの２進周波数偏移変調（ｂｆｓｋ）である請求項１記載の方法。
【請求項８】
前記検出ステップは、前記ファクシミリ呼に対するＶ．２１信号を検出するステップをさらに含んでおり、前記Ｖ．２１信号は３００ビット／秒のデータパターン０×７ｅの２進周波数偏移変調（ｂｆｓｋ）である請求項１記載の方法。
【請求項９】
前記検出ステップは、前記データ呼に対するモデムトーンにより後続されたＶ．２５トーンの組合せを検出するステップをさらに含んでおり、前記Ｖ．２５トーンは位相の反転を伴う２１００ヘルツのトーンである請求項１記載の方法。
【請求項１０】
前記検出ステップは、前記データ呼に対するＶ．２５信号を検出するステップをさらに含んでおり、前記Ｖ．２５信号は位相の反転を伴う２１００ヘルツのトーンである請求項１記載の方法。
【請求項１１】
前記検出ステップは、前記データ呼に対するモデムトーンを検出するステップをさらに含んでいる請求項１０記載の方法。
【請求項１２】
前記検出ステップは、前記データ呼に対するモデムトーンを検出するステップをさらに含んでおり、前記モデムトーンはＶ．２１信号、Ｖ２２信号、Ｖ．２２ｂｉｓ信号、Ｖ．３２信号およびＶ３２ｂｉｓ信号の１つであってよく、前記Ｖ．２１信号は０×７ｅパターンを持たないＶ．２１信号である請求項１０記載の方法。
【請求項１３】
前記検出ステップは、前記ファクシミリ呼に対して呼発信側で呼出しトーンを検出するステップをさらに含んでいる請求項１記載の方法。
【請求項１４】
前記検出ステップは、前記ファクシミリ呼に対して呼終端側で呼出されたトーンを検出するステップをさらに含んでいる請求項１記載の方法。
【請求項１５】
前記検出ステップは、前記データ呼に対して呼終端側で呼出されたトーンを検出するステップをさらに含んでいる請求項１記載の方法。
【請求項１６】
前記呼出しトーンは１１００ヘルツのトーンであり、前記検出ステップは前記ファクシミリ呼に対して呼発信側で前記１１００ヘルツのトーンを検出するステップを含んでいる請求項１３記載の方法。
【請求項１７】
前記呼出されたトーンは０×７ｅデータパターンを有するＶ．２１信号により後続された２１００ヘルツのトーンであり、前記検出ステップは前記ファクシミリ呼に対する０×７ｅデータパターンを有する前記Ｖ．２１信号により後続された前記２１００ヘルツのトーンを呼発信側で検出するステップを含んでいる請求項１４記載の方法。
【請求項１８】
前記呼出されたトーンはモデムトーンにより後続されたＶ．２５信号であり、前記検出ステップは前記データ呼に対する前記モデムトーンにより後続された前記Ｖ．２５信号を呼終端側で検出するステップを含んでいる請求項１５記載の方法。
【請求項１９】
前記呼出されたトーンは０×７ｅデータパターンを有するＶ．２１信号であり、前記検出ステップは前記ファクシミリ呼に対して呼終端側で０×７ｅデータパターンを有する前記Ｖ．２１信号を検出するステップを含んでいる請求項１４記載の方法。
【請求項２０】
前記呼出されたトーンはＶ．２５信号であり、前記検出ステップは前記データ呼に対して呼終端側で前記Ｖ．２５信号を検出するステップを含んでいる請求項１５記載の方法。
【請求項２１】
デフォルト値によって音声呼として呼を開始する手段と、
ファクシミリおよびデータ呼に特有のトーンを検出する手段と、
前記検出手段においてファクシミリおよびデータ呼の１つに特有のトーンが検出された場合、
ファクシミリ特定のプレアンブルである０×７ｅデータパターンが検出された場合には、前記ファクシミリ呼に対して前記呼を再折衝し、
ファクシミリ特定のプレアンブルである０×７ｅデータパターンが検出されなかった場合には、前記データ呼に対して前記呼を再折衝する手段と、
前記検出手段において前記ファクシミリおよびデータ呼の１つに特有のトーンが検出されなかった場合、
ファクシミリ特定のプレアンブルである０×７ｅデータパターンが検出された場合には、前記ファクシミリ呼に対して前記呼を再折衝し、
ファクシミリ特定のプレアンブルである０×７ｅデータパターンが検出されなかった場合には、前記音声呼として前記呼を維持する手段とを含んでおり、
呼を開始する前記手段は、ボコーダを作動させることにより音声動作をセットアップするように構成されており、
トーンを検出する前記手段は、トーン検出器をオンに切換え、ボコーダでトーン検出器を動作させるように構成されている呼サービスオプションの透過的決定システム。
【請求項２２】
前記検出手段は、呼発信側および呼終端側の一方においてファクシミリトーンの検出を行う手段をさらに含んでいる請求項２１記載のシステム。
【請求項２３】
前記検出手段は、呼終端側においてファクシミリトーンおよびデータトーンの検出を行う手段をさらに含んでいる請求項２１記載のシステム。
【請求項２４】
前記検出手段は、呼発信側および呼終端側の両方においてファクシミリトーンの検出を行う手段をさらに含んでいる請求項２１記載のシステム。
【請求項２５】
前記検出手段は、呼が単一加入者ステーション（ＳＳＳ）から発信された場合、基地局において移動装置から陸線への呼の検出を行う手段をさらに含んでいる請求項２１記載のシステム。
【請求項２６】
前記検出手段は、終端側の単一加入者ステーション（ＳＳＳ）において移動装置から移動装置へおよび陸線から移動装置への呼の検出を行う手段をさらに含んでいる請求項２１記載のシステム。
【請求項２７】
前記検出手段は前記ファクシミリ呼に対するＶ．２１信号により後続された２１００ヘルツのトーンの組合せを検出する手段をさらに含んでおり、前記Ｖ．２１信号は３００ビット／秒のデータパターン０×７ｅの２進周波数変調（ｂｆｓｋ）である請求項２１記載のシステム。
【請求項２８】
前記検出手段は前記ファクシミリ呼に対するＶ．２１信号を検出する手段をさらに含んでおり、前記Ｖ．２１信号は３００ビット／秒のデータパターン０×７ｅの２進周波数変調（ｂｆｓｋ）である請求項２１記載のシステム。
【請求項２９】
前記検出手段は前記データ呼に対するモデムトーンにより後続されたＶ．２５トーンの組合せを検出する手段をさらに含んでおり、前記Ｖ．２５トーンは位相の反転を伴う２１００ヘルツのトーンである請求項２１記載のシステム。
【請求項３０】
前記検出手段は前記データ呼に対するＶ．２５信号を検出する手段をさらに含んでおり、前記Ｖ．２５信号は位相の反転を伴う２１００ヘルツのトーンである請求項２１記載のシステム。
【請求項３１】
前記検出手段は、前記データ呼に対するモデムトーンを検出する手段をさらに含んでいる請求項３０記載のシステム。
【請求項３２】
前記検出手段は、前記データ呼に対するモデムトーンを検出する手段をさらに含んでおり、前記モデムトーンはＶ．２１信号、Ｖ２２信号、Ｖ．２２ｂｉｓ信号、Ｖ．３２信号およびＶ３２ｂｉｓ信号の１つであってよく、前記Ｖ．２１信号は０×７ｅパターンを持たないＶ．２１信号である請求項３０記載のシステム。
【請求項３３】
前記検出手段は、前記ファクシミリ呼に対して呼発信側で呼出しトーンを検出する手段をさらに含んでいる請求項２１記載のシステム。
【請求項３４】
前記検出手段は、前記ファクシミリ呼に対して呼終端側で呼出されたトーンを検出する手段をさらに含んでいる請求項２１記載のシステム。
【請求項３５】
前記検出手段は、前記データ呼に対して呼終端側で呼出されたトーンを検出する手段をさらに含んでいる請求項２１記載のシステム。
【請求項３６】
前記呼出しトーンは１１００ヘルツのトーンであり、前記検出手段は前記ファクシミリ呼に対して呼発信側で前記１１００ヘルツのトーンを検出する手段を含んでいる請求項３３記載のシステム。
【請求項３７】
前記呼出されたトーンは０×７ｅデータパターンを有するＶ．２１信号により後続された２１００ヘルツのトーンであり、前記検出手段は前記ファクシミリ呼に対する０×７ｅデータパターンを有する前記Ｖ．２１信号により後続された前記２１００ヘルツのトーンを呼発信側で検出する手段を含んでいる請求項３４記載のシステム。
【請求項３８】
前記呼出されたトーンはモデムトーンにより後続されたＶ．２５信号であり、前記検出手段は前記データ呼に対する前記モデムトーンにより後続された前記Ｖ．２５信号を呼終端側で検出する手段を含んでいる請求項３５記載のシステム。
【請求項３９】
前記呼出されたトーンは０×７ｅデータパターンを有するＶ．２１信号であり、前記検出手段は前記ファクシミリ呼に対して呼終端側で０×７ｅデータパターンを有する前記Ｖ．２１信号を検出する手段を含んでいる請求項３４記載のシステム。
【請求項４０】
前記呼出されたトーンはＶ．２５信号であり、前記検出手段は前記データ呼に対して呼終端側で前記Ｖ．２５信号を検出する手段を含んでいる請求項３５記載のシステム。
【請求項４１】
（ａ）デフォルト値設定として音声呼、データ呼およびファクシミリ呼の１つのような呼を開始し、
（ｂ）ファクシミリおよびデータ呼に特有のトーンを検出し、
（ｃ）前記呼に対する呼サービスオプションを、
前記検出ステップにおいてファクシミリおよびデータ呼の１つに特有のトーンが検出された場合、
ファクシミリ特定のプレアンブルである０×７ｅデータパターンが検出された場合には、前記ファクシミリ呼として、
ファクシミリ特定のプレアンブルである０×７ｅデータパターンが検出されなかった場合には、データ呼として、
前記検出ステップにおいて前記ファクシミリおよびデータ呼の１つに特有のトーンが検出されなかった場合、
ファクシミリ特定のプレアンブルである０×７ｅデータパターンが検出された場合には、前記ファクシミリ呼として、
ファクシミリ特定のプレアンブルである０×７ｅデータパターンが検出されなかった場合には、前記音声呼として、決定し、
（ｄ）前記呼サービスオプションが前記デフォルト値設定と異なっていると決定された場合、前記音声呼、前記ファクシミリ呼および前記データ呼の１つに前記呼を再折衝し、
（ｅ）前記呼が前記デフォルト値設定であると決定された場合、前記呼を前記デフォルト値設定に維持するステップを含んでおり、
呼を開始する前記ステップは、ボコーダを作動させることにより音声動作をセットアップするステップを含んでおり、
トーンを検出する前記ステップは、トーン検出器をオンに切換え、ボコーダでトーン検出器を動作させるステップを含んでいる呼サービスオプションの透過的決定方法。
【請求項４２】
前記呼を開始するステップは、前記デフォルト値設定のために前記音声呼として呼を開始するステップを含んでいる請求項４１記載の方法。
【発明の詳細な説明】
【０００１】
【発明の属する技術分野】
本発明は、一般に、通信分野に関する。とくに、本発明は呼サービスオプションを決定する透過伝送システムおよび方法に関する。とりわけ、本発明は無線通信システムにおいて呼サービスオプションを決定する透過伝送システムおよび方法に関する。
【０００２】
【従来の技術】
非常に多数のシステムユーザ間において情報を転送する種々の多元接続通信システムが開発されている。このような多元接続通信システムにより使用される２つの既知の技術には、時分割多元接続（ＴＤＭＡ）および周波数分割多元接続（ＦＤＭＡ）が含まれ、これらの基本は技術的によく知られている。しかしながら、符号分割多元接続（ＣＤＭＡ）スペクトル拡散技術のようなスペクトル拡散変調技術には、とくにサービスを非常に多数の通信システムユーザに提供するときに、他の変調方式にまさる利点がある。多元接続通信システムにおけるＣＤＭＡ技術の使用は、その権利が共に本出願人譲渡され、ここにおいて参考文献として含まれている1990年 2月13日出願の米国特許第 4,901,307号明細書（“ SPREAD SPECTRUM MULTIPLE ACCESS COMMUNICATION SYSTEM USING SATELLITE OR TERRESTRIAL REPEATERS”）の教示および米国特許出願第 08/368,570 号明細書（1995年 1月 4日出願、“METHOD AND APPARATUS FOR USING FULL SPECTRUM TRANSMITTED POWER IN A SPREAD SPECTRUM COMMUNICATION SYSTEM FOR TRACKING INDIVIDUAL RECIPIENT PHASE TIME AND ENERGY”）に開示されている。
【０００３】
上述された特許明細書には、非常に多数の一般的な移動または遠隔システムユーザまたは加入者のそれぞれが公衆交換電話網のような別の接続されたシステムの別のシステム加入者またはユーザと通信するために少くとも１つの加入者装置を使用する多重接続通信システムが開示されている。加入者装置は、ＣＤＭＡスペクトル拡散タイプの通信信号を使用して基地局またはゲートウェイならびに衛星中継器によって通信している。
【０００４】
現在、無線システムにおけるサービスオプションは、呼が設定される前に決定されなければならない。単一加入者ステーション（ＳＳＳ）および基地局は、どのサービスオプションを無線リンクを介して使用すべきかを知る必要がある。これは、呼サービスオプションの非透過決定と呼ばれている。サービスオプションはファクシミリ、データおよび音声サービスを含むことができるが、それに限定されない。
【０００５】
ファクシミリサービスは、電話機回路網によるファクシミリ装置間の文書の正確な再生またはコピーの伝送を可能にする。データサービスは、データモデムを有するコンピュータのようなデータ処理装置間におけるデータの伝送を可能にする。データモデムは、電話機回路網によって送信するためにデジタル信号をアナログ信号に変換し、およびその逆の変換を行う装置である。音声サービスは、音響を電気インパルスに変換することによって電話機回路網によるスピーチの送信を可能にする。音声サービスは音声スピーチを圧縮するボコーダを使用する。ボコーダはエンコーダおよびデコーダを含んでいる。エンコーダは入ってきたスピーチを解析し、人間の音声発生のモデルに基づいて適切なパラメータを抽出する。デコーダは、それがエンコーダから送信チャンネルを介して受取ったパラメータを使用してスピーチを合成する。
【０００６】
【発明が解決しようとする課題】
非透過性には、付加的なリソースが割当てられる必要がある。付加的なリソースは各サービスに対して別々のディレクトリ番号を含んでいる。移動装置から陸線への呼（すなわち、無線通信信号を使用して移動装置から発信され、陸線により終了される呼）において、特定のサービスオプションに接続することを望んだユーザは、電話機、データモデム、またはファクシミリ装置のいずれかの特定のプレフィックスをダイヤルしてもよい。その後、システムはダイヤルされたプレフィックスを待ち行列に入れて、どのタイプの呼がなされたかを知る必要がある。陸線から移動装置への呼（すなわち、陸線を介して発信され、無線通信信号を使用して終了される呼）では、特定のサービスオプションに接続することを望んだユーザは、３つの特定のディレクトリ番号すなわち：ファクシミリ呼に対するディレクトリ番号、データ呼に対するディレクトリ番号および音声呼に対するディレクトリ番号の１つをダイヤルしてもよい。これには、移動局ユーザが各サービスオプションに対して別々のディレクトリ番号を有していることが必要である。その代わり、陸線から移動装置への呼において、特定のサービスオプションに接続することを望んだユーザは２段階ダイヤリングを使用することができる。２段階ダイヤリングでは、最初のダイヤルトーンを獲得したユーザが最初の番号をダイヤルして、第２のダイヤルトーンを得る。最初の番号は、ユーザが基地局にダイヤルすることを可能にする。その後、そのユーザは、第２のダイヤルトーンが聞こえたときに第２の番号をダイヤルする。第２の番号はユーザを所望のサービスオプションに接続する。
【０００７】
呼サービスオプションの透過決定を行うシステムおよび方法が必要とされている。さらに、付加的なリソースが割当てられることを必要とせずに、呼サービスオプションの透過決定を行うシステムおよび方法が必要とされている。
【０００８】
【課題を解決するための手段】
本発明は、呼サービスオプションの透過決定のためのシステムおよび方法を提供することによって上述された必要性を満足させる。本発明はユーザ側の介入をいっさい必要としない。本発明の方法によると、全ての各無線呼はデフォルト値によって音声呼として開始される。その後、ファクシミリおよびデータ呼に特有のトーンを検出する検出器が使用される。ファクシミリまたはデータ呼が検出された場合、無線呼はファクシミリまたはデータ呼としてそれぞれ再折衝（ｒｅｎｅｇｏｔｉａｔｅ）される。ファクシミリまたはデータ呼が検出されなかった場合、無線呼は音声呼として維持される。
【０００９】
ファクシミリトーンの検出は、呼発信側または呼終端側で行われてもよい。データトーンの検出は呼終端側でのみ行われることができる。ファクシミリ呼を検出するために、呼終端側には呼出されたトーンの検出器が設けられ、呼発信側に呼出しトーン検出器が設けられている。ファクシミリ装置に対する呼出されたトーンは、０×７ｅデータパターンを有するＶ．２１信号によって後続された２１００ヘルツのトーンの組合せであるか、または０×７ｅデータパターンを有する単一のＶ．２１信号である。ファクシミリマシンに対する呼出しトーンは純粋な１１００ヘルツのトーンである。データ呼を検出するために、呼出されたトーンの検出器が呼終端側に設けられている。データモデムに対する呼出されたトーンはモデムトーンによって後続されたＶ．２５信号の組合せ、複数のモデムトーンまたは単一のＶ．２５信号である。Ｖ．２１およびＶ．２５信号は、国際電気通信連合（ＩＴＵ）により制定されたよく知られている標準信号である。
【００１０】
本発明では付加的なリソースが割当てられる必要がない。本発明は、提供される全てのサービスに対して単一のディレクトリ番号を使用する。音声呼、ファクシミリ呼およびデータ呼を透過的に接続するために１つのディレクトリ番号が使用される。
【００１１】
【発明の実施の形態】
以下、添付図面を参照として本発明の別の特徴および利点、ならびに本発明の種々の実施形態の構造および動作を説明する。
本発明の特徴、目的および利点は、以下の詳細な説明および同じ参照文字が対応した要素を一貫して表している図面からさらに明らかになるであろう。図面において、同じ参照符号は同じ、機能的に類似した、および、または構造的に類似した素子を示している。ある要素が最初に表された図面は対応した参照符号の左端の数字により示されている。
本発明はここにおいて特定の適用に対する例示的な実施形態を参照として説明されるが、本発明はそれに制限されないことを認識すべきである。当業者は、本発明の技術的範囲内および本発明が非常に有用である付加的分野内において付加的な修正、適用および実施形態を認識するであろう。
【００１２】
本発明は、種々のタイプの無線通信システムにおける使用に適用されることができる。ＣＤＭＡシステムにおける動作モードが好ましい。しかしながら、本発明の原理は、ＴＤＭＡまたは別のタイプの無線通信システムでの使用に対して容易に適合可能である。
【００１３】
本発明は、少くとも１つの端末が移動体、可搬または固定された無線加入者ステーションの任意のものである無線通信システムにおいて使用される。本発明を開示するために、これらのタイプの無線端末のいずれも“移動局”と呼ばれてもよい。無線システム呼に対する呼サービスオプションの通常の非透過（ノン・トランスペアレント）決定では、呼を設定する前に呼サービスオプションが知られる必要がある。呼の設定前に呼オプションが識別されるために、電話機、ファクシミリ装置およびデータモデムをパーソナルコンピュータ（ＰＣ）に接続しているユーザは個別の電話ディレクトリ番号を有しなければならない。
【００１４】
本発明は、呼サービスオプションの透過（トランスペアレント）決定のためのシステムおよび方法である。本発明は、ユーザ側の介入を全く必要としない。本発明により、各呼サービスオプションに対して別々のディレクトリ番号を有する必要性がなくなる。単一加入者ステーション（ＳＳＳ）、あるいは集中加入者ステーション（ＣＳＳ）または顧客構内装置（ＣＰＥ）のような類似した種類のデバイスを使用することによって、ユーザは、電話機、ファクシミリマシンおよびデータモデムとの通信を可能にするために１つの電話ディレクトリ番号をＳＳＳに割当てることができる。
【００１５】
図１は、本発明の１実施形態による陸線から移動装置への呼を示す概略図である。通信ネットワーク100 は、第１のアンテナ112 を有するＳＳＳ110 、第２のアンテナ114 を有する基地局116 、および公衆交換電話網（ＰＳＴＮ）118 を含んでいる。ＳＳＳ110 は第１の電話機102 、第１のデータモデム104 および第１のファクシミリ装置108 に接続されている。第１のデータモデム104 はまた第１のコンピュータ106 に接続されている。電話機102 、データモデム104 およびファクシミリ装置108 はそれぞれ、ＲＪ−１１接続130 を使用してＳＳＳ110 に接続している。ＰＳＴＮ118 は、第２の電話機120 、第２のファクシミリ装置122 または第２のデータモデム124 の任意の１つに接続することができる。第２のデータモデム124 はまた第２のコンピュータ126 に接続されている。電話機120 、ファクシミリマシン122 およびデータモデム124 はそれぞれ、ＲＪ−１１接続130 （破線で示されている）を使用してＰＳＴＮ118 に接続している。第１および第２のコンピュータ106 および126 は、任意の種類のコンピュータであることができる。たとえば、第１および第２のコンピュータ106 および126 は、デスクトップコンピュータ、ラップトップコンピュータ、中型コンピュータ、または大型コンピュータであってもよい。
【００１６】
ＳＳＳ110 は、ローカルループサービスを提供する無線ステーションである。その代わり、集中加入者ステーション（ＣＳＳ）がＳＳＳ110 の代わりに使用されることが可能である。ＣＳＳはミニ構内交換機（ＰＢＸ）のような方式で一緒に動作する多数のＳＳＳとして機能する。基地局116 は、ＳＳＳ110 のような移動局が公衆交換電話網（ＰＳＴＮ）118 によって音声、データまたはファクシミリサービスを介して地上ベースのユーザと通信することを可能にする固定された装置である。ＳＳＳ110 およびＰＳＴＮ118 の両者はとくに、アナログ信号をデジタル信号に変換し、その逆の変換も行うアナログデジタル変換器を含んでいる。ＰＳＴＮ118 はまた基地局116 へのデジタル接続128 を提供する。ＳＳＳ110 およびＰＳＴＮ118 の両者はとくに、呼サービスオプションの透過検出のためのデジタル信号プロセッサを含んでいる。ＳＳＳ110 および基地局116 は、無線によって第１および第２のアンテナ112 および114 を介して通信する。
【００１７】
図１における矢印128 は、通信ネットワーク100 における陸線から移動装置への呼に対する呼の方向を示す。陸線から移動装置への呼において、陸線ユーザはＳＳＳ110 に割当てられたディレクトリ番号をダイヤルすることにより呼サービスオプション120 、124 または122 （すなわち、音声、データまたはファクシミリ）の１つを使用して呼を発信する。呼はＰＳＴＮ118 を通って基地局116 に導かれる。ＰＳＴＮ118 はその呼からのアナログ波形をデジタル化された波形に変換し、デジタル接続128 を通って基地局116 にそのデジタル化された波形を導く。基地局116 はさらに、デジタル化された波形を処理し、第２のアンテナ114 によってデータをＳＳＳ110 に無線で送る。ＳＳＳ110 は第１のアンテナ112 によってデジタル化された波形を受取り、デジタル化された波形をアナログデータに変換して戻し、呼を設定する。終端側のサービス102 、104 および108 の１つがその呼に応答するまで、各サービスは呼出しを行う。
【００１８】
図２は本発明の１実施形態にしたがった移動局から陸線への呼を示した図である。矢印202 は実質的に通信ネットワーク100 と同一の通信ネットワーク200 における移動局から陸線への呼の呼方向を示している。移動局から陸線への呼では、遠隔ユーザは、呼サービスオプション102 、104 または108 （即ち音声、データ、ファクシミリ）の１つを使用して、ＰＳＴＮ118 を介して接続されている電話機120 、ファクシミリ装置122 、またはデータモデム124 の１つに関連するディレクトリ番号をダイヤルすることによって、呼を開始する。呼はＲＦ−１１接続130 を介してＳＳＳ 110へ伝送される。ＳＳＳ 110は呼からのアナログ波形をデジタル波形に変換し、第１のアンテナ112 により基地局116 へ無線でデータを送信する。基地局116 は第２のアンテナ114 によりデジタル波形を受信し、さらにデジタル波形を処理する。基地局116 はデジタル波形をＰＳＴＮ 118へ伝送する。ＰＳＴＮ 118はデジタル波形をアナログ波形に再変換し、それを適切なサービスオプション120 122 または124 へ伝送する。ダイヤルされたサービスオプション120 、122 または124 は終端側で呼鈴を鳴らす。
【００１９】
図３は、本発明の１実施形態にしたがった移動局間の呼を示した図である。通信ネットワーク300 は第１のアンテナ312 を有する第１のＳＳＳ 310と、第２のアンテナ314 を有する第１の基地局316 と、ＰＳＴＮ318 と、第３のアンテナ322 を有する第２の基地局320 と、第４のアンテナ324 を有する第２のＳＳＳ326 とを具備している。第１のＳＳＳ 310は第１の電話機302 、第１のデータモデム304 、第１のファクシミリ装置308 へ接続されてもよい。第１のデータモデム304 は第１のコンピュータ306 へ接続されてもよい。第１の電話機302 、第１のデータモデム304 、第１のファクシミリ装置308 はそれぞれＲＪ−１１接続330 を使用して第１のＳＳＳ 310へ接続する。第２のＳＳＳ 326は第２の電話機328 、第２のファクシミリ装置334 、または第２のデータモデム330 の１つまたはその全てに接続されている。第２のデータモデム330 は第２のコンピュータ332 へ接続されてもよい。第２の電話機328 、第２のファクシミリ装置334 、第２のデータモデム330 はＲＪ−１１接続330 を使用してそれぞれ第２のＳＳＳ 326に接続する。第１および第２のコンピュータ306 、332 は任意の種類のコンピュータであってもよい。例えば第１および第２のコンピュータ306 、332 はデスクトップコンピュータ、ラップトップコンピュータ、中型コンピュータまたは大型コンピュータであってもよい。
【００２０】
第１および第２のＳＳＳ 310、 326は無線のローカルループサービスを行う。第１の基地局316 はＰＳＴＮ 318へ接続されている。ＰＳＴＮ 318は第２の基地局320 へ接続される。第１および第２の基地局316 と320 は第１および第２のＳＳＳ 310と326 のような移動局が公共交換電話網（ＰＳＴＮ）318 によって音声、データまたはファクシミリサービスにより相互に通信することを可能にする固定した装置である。第１および第２のＳＳＳ 310と326 の両者はとりわけアナログ信号をデジタル信号へまたはその逆方向に変換するアナログデジタル変換器を含んでいる。第１のＳＳＳ 310と第１の基地局316 はＣＤＭＡを使用して第１および第２のアンテナ312 と314 により無線で通信する。第２の基地局320 と第２のＳＳＳ 326はＣＤＭＡを使用して第３および第４のアンテナ322 と324 により無線で通信する。
【００２１】
移動局間の呼では、ユーザは呼サービスオプション302 、304 、308 （即ち音声、データまたはファクシミリ）の１つを使用して第２のＳＳＳ326 に割当てられるディレクトリ番号をダイヤルすることによって、ＳＳＳ 310から呼を開始する。呼はＲＪ−１１接続130 により第１のＳＳＳ 310へ伝送される。ＳＳＳ 310は呼からのアナログデータをデジタルデータに変換し、第１のアンテナ312 により第１の基地局316 へ無線でデータを送信する。第１の基地局316 はデジタルデータを第２のアンテナ314 により受信し、アナログデータをＰＳＴＮ 318を経て第２の基地局320 へ伝送する。第２の基地局320 は第３のアンテナ322 により無線で第２のＳＳＳ 326へデータを送信する。第２のＳＳＳ 326は第４のアンテナ324 によりデータを受信し、デジタルデータをアナログデータに変換し、呼を設定する。各サービス328 、330 、334 は終端側で１つのサービスが呼に応答するまで呼鈴を続ける。
【００２２】
移動局間の呼はまた、前述した方法と類似の方法であるが反対の順序で、サービスオプション328 、330 または334 を使用してＳＳＳ 326から開始し、サービスオプション302 、304 、308 の１つに対してＳＳＳ 310で終了する。
【００２３】
図４は本発明が実行されることができる通信ネットワークの別の実施形態を示した図である。通信ネットワーク400 は第１のカスタマ構内装置（ＣＰＥ）410 と、デジタルネットワーク412 と、第２のＣＰＥ 414を具備している。通信ネットワーク100 、200 、300 で示されているように無線でデジタル信号を送信する代わりに、通信ネットワーク400 はデジタルデータを送信するためにデジタルネットワーク412 を使用する。第１のＣＰＥ 410は第１の電話機402 、第１のデータモデム404 、第１のファクシミリ装置408 に接続されてもよい。第１のデータモデム404 はコンピュータ406 に接続されている。第２のＣＰＥは第２の電話機416 、第２のモデム418 、第２のファクシミリ装置422 へ接続されてもよい。第２のデータモデムは第２のコンピュータ420 へ接続されている。第１および第２のコンピュータ406 と420 は前述したように、任意の種類のコンピュータであってもよい。
【００２４】
第１および第２のＣＰＥ 410、 414は単一の加入者局（ＳＳＳ）110 、310 、326 と類似の方法で動作する。ＣＰＥ 410、 414はとりわけアナログデジタル変換器と、デジタル信号プロセッサ（ＤＳＰ）（両者とも図示せず）を具備している。アナログデジタル変換器はアナログ信号をデジタル信号へまたはその逆方向に変換する。ＤＳＰはとりわけ呼サービスオプションのトランスペアレント検出を実行する。第１のＣＰＥ410 はデジタルネットワーク412 へ接続されている。デジタルネットワーク412 は第２のＣＰＥへ接続されている。
【００２５】
ユーザは、サービスオプション402 、404 または408 の１つを使用してＣＰＥ 414に割当てられるディレクトリ番号をダイヤルすることによって、ＣＰＥ 410から呼を開始する。ＣＰＥ 410はサービスオプション402 、404 、408 の１つからアナログデータを受信する。ＣＰＥ 410はアナログ信号をデジタル信号に変換し、デジタルネットワーク412 によって送信するためにデジタル信号をデジタルデータパケットにマップする。ＣＰＥ 414はデジタルネットワーク412 からデジタルパケットを受信し、デジタルデータをアナログ信号へ再変換し、終端側のアナログ装置（416 、418 、422 ）へ送信し、呼を設定する。各サービス416 、418 、422 は１つのサービスオプション416 、418 、422 が呼に応答するまで呼鈴を続ける。
【００２６】
サービスオプション呼はサービスオプション416 、418 または422 の１つを使用してＣＰＥ 414で開始し、サービスオプション402 、404 、408 の１つに対してＣＰＥ 410で終了する。ユーザはＣＰＥ 410に割当てられるディレクトリ番号をダイヤルすることによって、サービスオプション416 、418 または422 の１つと呼を開始する。ＣＰＥ 414はサービスオプション416 、418 または422 の１つからアナログデータを受信する。ＣＰＥ 414はアナログ信号をデジタル信号に変換し、デジタルネットワーク412 によって送信するためにデジタル信号をデジタルデータパケットにマップする。ＣＰＥ 410はデジタルネットワーク412 からデジタルパケットを受信し、デジタルデータをアナログ信号へ再変換し、終端側のサービスオプション402 、404 、408 へ送信し、呼を設定する。各サービス402 、404 、408 はサービスオプション402 、404 、408 の１つが呼に応答するまで呼鈴を続ける。
【００２７】
本発明を通信ネットワーク100 、200 、300 、400 を使用して説明するが、本発明はこれらの通信ネットワークの構成だけに限定されない。他の移動局から陸線への、陸線から移動局への、移動局間の通信ネットワークは本発明の技術的範囲を逸脱せずに使用されることができる。
【００２８】
本発明はファクシミリ呼またはデータ呼に対する特定のトーンを検出するための検出器を使用する。この検出器はＤＳＰに構成されている。前述したように、ＤＳＰはＳＳＳ 110、 310、 326と、基地局116 、316 、320 と、ＣＰＥ 410と414 に設けられる。
【００２９】
図５Ａは、ファックス呼のトランスペアレント決定に使用される検出信号を示している陸線から移動局への呼の図である。ファクシミリ呼の検出は呼発信側と呼終端側との両者で行われてもよい。これはファクシミリ装置108 と122 が呼を発信または送信するとき呼出しトーン（ＣＮＧ）502 を発し、呼を終了または受信するとき呼出されたトーン（ＣＥＤ）504 を発信するためである。ファクシミリ装置により発信された呼出しトーン（ＣＮＧ）502 は純粋な１１００ヘルツ周波数トーンである。呼出されたトーン（ＣＥＤ）504 はＶ．２１信号が後続する純粋な２１００ヘルツの周波数トーンである。Ｖ．２１信号はＩＴＵ−Ｔ  Ｖ．シリーズモデムの広いクラスに入るＩＴＵ標準である。ファクシミリ送信に使用されるＶ．２１信号はデータパターン０×７ｅのプレアンブルにより毎秒３００ビットで２進周波数シフトキー変調（ｂｆｓｋ）される。０×７ｅのデータパターンはほぼ１秒で全てのファクシミリ装置により送信される。ファクシミリ装置は純粋な２１００ヘルツ周波数トーンを発信してもしなくてもよいが、常に０×７ｅのデータパターンを送信する。それ故、検出器は、終端側のファクシミリ呼サービスオプションをトランスペアレントに検出するために、呼出されたトーンの０×７ｅのデータパターンをトリガーオフしなければならず、発信側では１００ヘルツの呼出しトーンをトリガーオフしなければならない。ＳＳＳ 110と基地局116 との両者は検出器（図示せず）を含んでいる。本発明の１実施形態では、あらゆる呼は音声呼として開始される。ファクシミリ装置122 により発信される呼は呼出しトーン502 を発信する。基地局116 内の検出器は呼出しトーン502 を検出してもよい。ファクシミリ装置108 はファクシミリ呼に応答するとき、呼出されたトーン504 を発信する。ＳＳＳ 110内の検出器は呼出されたトーン504 を検出する。検出器がファックス呼の存在を一度フラグすると、全体の呼はファックスサービスオプションへ切換えられ、またはそれと再度折衝される。サービスオプションが一度切換えられると、ファクシミリトランザクションが容易に行われる。
【００３０】
図５Ｂは、ファックス呼のトランスペアレント決定に使用される検出信号を示している移動局から陸線への呼の図である。ファクシミリ装置108 により発信される呼は呼出しトーン502 を発信する。ＳＳＳ 110内の検出器は呼出しトーン502 を検出してもよい。ファクシミリ装置122 はファクシミリ呼の回答において呼出されたトーン504を発信する。基地局116 内の検出器は呼出されたトーン504 を検出する。検出器が一度ファックス呼の存在をフラグすると、呼全体はファックスサービスオプションに切換えられるかそれと再折衝する。サービスオプションが一度切換えられると、ファクシミリトランザクションが容易に行われる。
【００３１】
図５Ｃは、ファックス呼のトランスペアレント決定に使用される検出信号を示している移動局間の呼の図である。ファクシミリ装置334 により発信される呼は呼出しトーン502 を発信する。ＳＳＳ 326内の検出器は呼出しトーン502 を検出する。ファクシミリ装置308 はファクシミリ呼の回答において呼出されたトーン504 を発信する。ＳＳＳ310 内の検出器は呼出されたトーン504 を検出する。検出器が一度ファックス呼の存在をフラグすると、呼全体はファックスサービスオプションに切換えられるかそれと再折衝される。サービスオプションが一度切換えられると、ファクシミリトランザクションが容易に行われる。
【００３２】
図５Ｄは、ファックス呼のトランスペアレント決定に使用される検出信号を示している移動局間の呼の図である。ファクシミリ装置308 により開始される呼は呼出しトーン502 を発信する。ＳＳＳ310 内の検出器は呼出しトーン502 を検出することができる。ファクシミリ装置334 がファクシミリ呼に応答するとき、呼出されたトーン504 を発信する。ＳＳＳ 326内の検出器は呼出されたトーン504 を検出する。検出器が一度ファックス呼の存在をフラグすると、呼全体はファックスサービスオプションに切換えられるかそれと再折衝される。サービスオプションが一度切換えられると、ファクシミリトランザクションは容易に行われる。
【００３３】
通信ネットワーク400 のようなデジタル通信ネットワークを使用する移動局間の呼はＣＰＥ 410と414 がＳＳＳ 310と326 をそれぞれ置換する点を除いて前述した方法と類似の方法で動作する。
【００３４】
本発明の１実施形態では、ファクシミリ検出は終端側だけで行われる。本発明の別の実施形態では、ファクシミリ検出は終端側と発信側の両者で行われる。
【００３５】
図６Ａは、データ呼のトランスペアレント決定に使用される検出信号を示している陸線から移動局への呼の図である。データ呼の検出は呼終端側でのみ行われることができる。これはデータモデムが終端側だけでデータトーンを発信するためである。したがって、発信側でデータモデム124 により発信されるデータトーンはない。データトーン602 は終端または受信側で発信される。データ呼に対して発信されてもよい初期トーンはＶ．２５トーンである。Ｖ．２５トーンは位相反転を有する２１００ヘルツトーンである。Ｖ．２５トーンにはモデムトーンが後続してもよい。モデムトーンは０×７ｅパターンではないＶ．２１、Ｖ．２２／Ｖ．２２ｂｉｓ、Ｖ．３２／Ｖ．３２ｂｉｓ等を含むがそれらに限定されない。それ故、検出器は、終端側のデータ呼サービスオプションをトランスペアレントに検出するために、Ｖ．２５データトーンをトリガーオフしてもよい。
【００３６】
データモデム124 から発信された呼は図１を参照して前述したようにＳＳＳ 110を呼鈴する。ＳＳＳ 110は各サービスオプション（102 、104 、108 ）を呼鈴する。データモデム104 はデータ呼に応答するとき、呼出されたトーン602 を発信する。ＳＳＳ 110内の検出器は呼出されたトーン602 を検出する。検出器が一度データ呼の存在をフラグすると、呼全体がデータサービスオプションに切換えられるかそれと再折衝される。サービスオプションが一度切換えられると、データトランザクションは容易に行われる。
【００３７】
図６Ｂは、データ呼のトランスペアレント決定に使用される検出信号を示している移動局から陸線への呼の図である。データモデム104 から発信された呼は図２を参照して前述したようにデータモデム124 を呼鈴する。データモデム124 はデータ呼に応答するとき、呼出されたトーン602 を発信する。基地局116 内の検出器は呼出されたトーン602 を検出する。検出器が一度データ呼の存在をフラグすると、呼全体はデータサービスオプションに切換えられ、それと再折衝される。サービスオプションが一度切換えられると、データトランザクションは容易に行われる。
【００３８】
図６Ｃは、矢印604 により示された方向で開始される移動局間の呼の図であり、データ呼のトランスペアレント決定に使用される検出信号を示している。データモデム330 から開始される呼はデータモデム304 を呼鈴する。データモデム304 はデータ呼に応答するとき、呼出されたトーン602 を発信する。ＳＳＳ 310内の検出器は呼出されたトーン602 を検出する。検出器がデータ呼の存在を一度フラグすると、呼全体はデータサービスオプションに切換えられるかそれと再折衝される。サービスオプションが一度切換えられると、データトランザクションは容易に行われる。
【００３９】
図６Ｄは、矢印606 により示された方向で開始される移動局間の呼の図であり、データ呼のトランスペアレント決定に使用される検出信号を示している。データモデム304 から発信される呼はデータモデム330 を呼鈴する。データモデム330 はデータ呼に応答するとき、呼出されたトーン602 を発信する。ＳＳＳ 326内の検出器は呼出されたトーン602 を検出する。検出器がデータ呼の存在を一度フラグすると、呼全体はデータサービスオプションに切換えられるかそれと再折衝される。サービスオプションが一度切換えられると、データトランザクションは容易に行われる。
【００４０】
通信ネットワーク400 のようなデジタル通信ネットワークを使用する移動局間の呼はＣＰＥ 410と414 がＳＳＳ 310と326 とそれぞれ置換される点を除いて前述した方法と類似の方法で動作する。
【００４１】
前述したように、本発明の１実施形態では、あらゆる呼はデフォルト値により音声呼として開始する。ＳＳＳ装置により受信された呼はそれに接続された各サービスオプションを呼鈴する。したがって、任意のサービスがピックアップされてもよい。呼が実際にデータまたはファクシミリ呼である場合、呼はデータ呼またはファクシミリ呼に対してそれぞれ再折衝される。そうでなければ、呼は音声呼として維持される。呼がデータまたはファクシミリ呼であり、電話機が応答した場合、呼は失敗である。
【００４２】
前述したように、ファクシミリトーンの検出は呼発信側と呼終端側で実行されることができる。データトーンの検出は呼終端側でのみ実行されることができる。
【００４３】
図７は、本発明にしたがって、終端側で呼サービスオプションのトランスペアレント決定を与える方法を表すフロー図である。図７のステップはハードウェア、ファームウェア、ソフトウェアまたはそれらの組合わせで実行されることができる。プロセスはステップ702 で開始し、そこで制御は直ちにステップ704 に移る。
【００４４】
ステップ704 で、入来する呼は終端側で受信される。制御はその後、ステップ706 に移る。
【００４５】
ステップ706 で、音声動作はボコーダを作動することによりセットアップされる。制御はその後、ステップ708 に移る。
【００４６】
ステップ708 で、ユーザ装置の呼鈴が行われる。呼が陸線から移動局への呼または移動局間の呼であるならば、各ユーザサービスオプションが呼鈴される。呼が移動局から陸線への呼でありユーザが多数のサービスオプションによりＰＳＴＮ 118への１接続を有するならば、各ユーザサービスオプションが呼鈴される。制御はその後、ステップ710 に移る。
【００４７】
ステップ710 で、ユーザ装置がピックアップされる。ユーザ装置のピックアップはタイマＴ１をスタートする。タイマＴ１は呼期間中のファックス特定のプレアンブルまたはデータモデム信号の検出に割当てられた時間量である。制御はその後、ステップ712 に移る。
【００４８】
ステップ712 で、トーン検出器はオンに切換えられ、ボコーダで作動される。トーン検出器は、ユーザ装置の呼鈴装置を鳴らした後と、ユーザ装置がピックアップまたは応答した後にオンに切換えられ、それによって呼鈴装置により発生された雑音信号でトリガーされる検出器を除去する。制御はその後、決定ステップ714 に移る。
【００４９】
決定ステップ714 で、２１００ヘルツのトーンが検出されたか否かが決定される。２１００ヘルツのトーンが検出されたならば、呼は音声呼ではなく、データ呼またはファクシミリ呼として再折衝されなければならない。制御はその後、決定ステップ716 に移る。
【００５０】
決定ステップ716 で、データ特定の２１００ヘルツのトーンが検出されたか否かが決定される。データ特定の２１００ヘルツの信号はＶ．２５信号である。データ特定の２１００ヘルツのトーンが検出されたならば、制御はその後、ステップ718 に移る。
【００５１】
ステップ718 では、呼はデータ呼として再折衝される。
【００５２】
決定ステップ716 に戻り、データ特定の２１００ヘルツのトーンが検出されなかったならば、制御はその後、決定ステップ720 に移る。
【００５３】
決定ステップ720 で、ファクシミリ特定のプレアンブルが検出されたか否かが決定される。ファクシミリ特定のプレアンブルは０×７ｅデータパターンである。ファクシミリ特定のプレアンブルが検出されたならば、制御はその後、ステップ722 に移る。
【００５４】
ステップ722 では、呼はファクシミリ呼として再折衝される。
【００５５】
決定ステップ720 に戻り、ファクシミリ特定のプレアンブルが検出されなかったならば、制御は、決定ステップ724 に移る。
【００５６】
決定ステップ724 で、モデム信号が検出されたか否かが決定される。モデム信号が検出されたならば、制御は、ステップ726 に移る。
【００５７】
ステップ726 では、呼はデータ呼として再折衝される。
【００５８】
決定ステップ724 に戻り、モデム信号が検出されなかったならば、制御は、決定ステップ728 に移る。決定ステップ728 では、タイマＴ１が終了しているか否かが決定される。タイマＴ１は典型的に４乃至５秒の長さである。タイマＴ１が終了しているならば、制御は、決定ステップ730 に移り、ここで呼はデータ呼として再折衝される。タイマＴ１が終了していないならば、制御は決定ステップ716 に戻る。
【００５９】
決定ステップ714 に戻り、２１００ヘルツのトーンが検出されなかったならば、制御はその後、決定ステップ732 に移る。
【００６０】
決定ステップ732 で、ファックス特定のプレアンブルが検出されたか否かが決定される。ファックス特定のプレアンブルは常にファクシミリ装置毎に発信される０×７ｅデータパターンを意味する。ファックス特定のプレアンブルが検出されたならば、制御はステップ734 に移る。ステップ734 では、呼はファクシミリ呼として再折衝される。
【００６１】
決定ステップ732 に戻り、ファックス特定のプレアンブルが検出されなかったならば、制御はその後、決定ステップ736 に移る。
【００６２】
決定ステップ736 で、モデム信号が検出されたか否かが決定される。モデム信号が検出されたならば、制御はステップ738 に移る。ステップ738 では、呼はデータ呼として再折衝される。
【００６３】
決定ステップ736 に戻り、モデム信号が検出されなかったならば、制御はその後、決定ステップ740 に移る。
【００６４】
決定ステップ740 で、タイマＴ１が終了しているか否かが決定される。タイマＴ１は典型的に４乃至５秒の長さである。タイマＴ１が終了しているならば、制御は、その後ステップ742 に移り、ステップ742 で、呼は音声呼として維持される。
【００６５】
決定ステップ740 に戻り、タイマＴ１が終了していないことが決定されたならば、制御はステップ712 に戻る。
【００６６】
前述したようにファクシミリ呼の検出は発信側で決定されてもよい。図８は本発明にしたがって、発信側でファクシミリ呼サービスオプションのトランスペアレント決定を行う方法を表すフロー図である。図８のステップは、ハードウェア、ファームウェア、ソフトウェアまたはそれらの組合わせで実行されてもよい。プロセスはステップ802 で開始し、そこで制御は直ちにステップ804 に移る。
【００６７】
ステップ804 で、呼が出て行く。制御はその後、ステップ806 に移る。
【００６８】
ステップ806 で、呼はボコーダをオンに切換えることにより音声動作で設定される。タイマＴ２がスタートされる。タイマＴ２はファックス呼出しトーンの検出に割当てられた時間量である。制御はその後、ステップ808 に移る。
【００６９】
ステップ808 で、トーン検出器はオンに切換えられボコーダで作動される。制御はその後、決定ステップ810 に移る。
【００７０】
決定ステップ810 で、ファクシミリ呼出しトーンが検出されたか否かが決定される。ファクシミリ呼出しトーンは１１００ヘルツのトーンである。ファクシミリ呼出しトーンが検出されたならば、制御はステップ812 に移る。
【００７１】
ステップ812 で、呼はファクシミリ呼として再折衝される。
【００７２】
決定ステップ810 に戻り、ファクシミリ呼出しトーンが検出されなかったならば、制御は、決定ステップ814 に移る。決定ステップ814 では、タイマＴ２が終了しているか否かが決定される。タイマＴ２は典型的に９乃至１０秒である。タイマＴ２が終了しているならば、制御は、ステップ816 に移る。
【００７３】
ステップ816 で、発信側のトーン検出器はディスエーブルされる。呼は音声呼のそのデフォルト値にある。
【００７４】
決定ステップ814 に戻り、タイマＴ２が終了していないならば、制御はステップ808 に戻る。
【００７５】
本発明の１実施形態では、呼サービスオプションのトランスペアレント検出は終端側でのみ行われる（図７）。別の実施形態では、呼サービスオプションのトランスペアレント検出は終端側と発信側で実行される（図７および８）。
【００７６】
結論
好ましい実施形態の前述の説明は当業者が本発明を実行または使用することを可能にするために前述の好ましい実施形態の説明を行った。本発明はその好ましい実施形態を参照して特に示され説明されているが、形態および詳細の種々の変更が本発明の技術的範囲を逸脱せずに行われてもよいことが当業者により理解されるであろう。したがって、本発明の技術的範囲は前述の実施形態により限定されず、特許請求の範囲とその等価物にしたがってのみ限定されるであろう。
【図面の簡単な説明】
【図１】  本発明の１実施形態にしたがった陸線から移動局への呼を示した図。
【図２】  本発明の１実施形態にしたがった移動局から陸線への呼を示した図。
【図３】  本発明の１実施形態にしたがった移動局間の呼を示した図。
【図４】  本発明が実施されることができる通信ネットワークの別の実施形態を示したブロック図。
【図５Ａ】  ファックス呼の透過決定に使用される検出信号を示している陸線から移動局への呼の図。
【図５Ｂ】  ファックス呼の透過決定に使用される検出信号を示している移動局から陸線への呼の図。
【図５Ｃ】  ファックス呼の透過決定に使用される検出信号を示している移動局間の呼の図。
【図５Ｄ】  ファックス呼の透過決定に使用される検出信号を示している移動局間の呼の図。
【図６Ａ】  データ呼の透過決定に使用される検出信号を示している陸線から移動局への呼の図。
【図６Ｂ】  データ呼の透過決定に使用される検出信号を示している移動局から陸線への呼の図。
【図６Ｃ】  データ呼の透過決定に使用される検出信号を示している移動局間の呼の図。
【図６Ｄ】  データ呼の透過決定に使用される検出信号を示している移動局間の呼の図。
【図７Ａ】  本発明にしたがって、終端側で呼サービスオプションの透過決定を行う方法を表すフロー図。
【図７Ｂ】  本発明にしたがって、終端側で呼サービスオプションの透過決定を行う方法を表すフロー図。
【図７Ｃ】  本発明にしたがって、終端側で呼サービスオプションの透過決定を行う方法を表すフロー図。
【図８】  本発明にしたがって、発信側でファクシミリ呼サービスオプションの透過決定を行う方法を表すフロー図。
【図１】
0004741143.tif 000002
【図２】
0004741143.tif 000003
【図３】
0004741143.tif 000004
【図４】
0004741143.tif 000005
【図５Ａ】
0004741143.tif 000006
【図５Ｂ】
0004741143.tif 000007
【図５Ｃ】
0004741143.tif 000008
【図５Ｄ】
0004741143.tif 000009
【図６Ａ】
0004741143.tif 000010
【図６Ｂ】
0004741143.tif 000011
【図６Ｃ】
0004741143.tif 000012
【図６Ｄ】
0004741143.tif 000013
【図７Ａ】
0004741143.tif 000014
【図７Ｂ】
0004741143.tif 000015
【図７Ｃ】
0004741143.tif 000016
【図８】
0004741143.tif 000017